(57)【要約】      （修正有）【課題】昇降路内温度の上昇を特に気にすることがなく、しかも簡単な構成により制御ケーブルとかごの接近、干渉を防止できるエレベータ制御ケーブルの保持装置を得る。【解決手段】エレベータのかご２と昇降路機器とを繋いでおり、昇降路内温度が上昇すると、被覆ビニールが軟化して底部の自由曲げ径が小さくなってかごと接近するエレベータ制御ケーブル装置において、昇降路の壁４に設けられ、昇降路内温度が上昇した時に、制御ケーブル１を保持して、制御ケーブルがかごに干渉するのを防止する制御ケーブル固定具３を備える。【選択図】図１
2007276991.tif 000002
【特許請求の範囲】
【請求項１】
エレベータのかごと昇降路機器とを繋ぐエレベータ制御ケーブルの保持装置において、
前記昇降路の壁に設けられ、前記制御ケーブルが前記かご側へ移動するのを抑制するように、前記制御ケーブルを保持して、前記制御ケーブルが前記かごに干渉するのを防止する制御ケーブル固定具を備えたことを特徴とするエレベータ制御ケーブルの保持装置。
【請求項２】
制御ケーブル固定具は、制御ケーブルが昇降路壁側に膨らむ挙動を利用して前記制御ケーブルを保持することを特徴とする請求項１記載のエレベータ制御ケーブルの保持装置。
【請求項３】
制御ケーブル固定具は、制御ケーブルが昇降路側に膨らんだ時に押し退けられて前記制御ケーブル固定具内に前記制御ケーブルを納め、かごが停止して前記制御ケーブルがかご側に戻ってきた時には前記制御ケーブルを保持するケーブル保持部を有することを特徴とする請求項２記載のエレベータ制御ケーブルの保持装置。
【請求項４】
ケーブル保持部はゴム又はウレタンフォームなどの柔軟な材質で構成されていることを特徴とする請求項３記載のエレベータ制御ケーブルの保持装置。
【請求項５】
ケーブル保持部は、ゲート状の可動方式としたことを特徴とする請求項３記載のエレベータ制御ケーブルの保持装置。
【請求項６】
ゲート状で可動方式のケーブル保持部は、かごの昇降に応じて開閉することを特徴とする請求項５記載のエレベータ制御ケーブルの保持装置。
【請求項７】
エレベータのかごと昇降路機器とを繋ぐエレベータ制御ケーブルの保持装置において、
前記昇降路の壁及び前記制御ケーブルそれぞれに磁石または磁性体が設けられ、前記磁石または磁性体間の磁気的吸引力により、前記制御ケーブルの前記かご側への移動を抑制し、前記制御ケーブルが前記かごに干渉するのを防止することを特徴とするエレベータ制御ケーブルの保持装置。
【請求項８】
複数本の制御ケーブルを重ね吊りするとともに、前記複数本の制御ケーブル間にも、互いに吸着する磁石及び磁性体を設けたことを特徴とする請求項７記載のエレベータ制御ケーブルの保持装置。
【発明の詳細な説明】
【技術分野】
【０００１】
この発明は、エレベータ制御ケーブルの保持装置に関するものである。
【背景技術】
【０００２】
従来一般に、エレベータにおいては、かご２と昇降路機器を繋ぐ制御ケーブル１が図８に示すように吊られている。この制御ケーブル１は、Ｕ字状を描くように吊るされており、Ｕ字部では自由曲げ径と呼ばれる間隔で曲がっている。この自由曲げ径の値は、制御ケーブル１に使用しているビニール被覆の種類と量や線心数等で決まる。通常、制御ケーブル１は、図８に示すように、Ｕ字状を描き、かご２側と昇降路壁４側の制御ケーブル１はほぼ平行となっている。しかし、昇降路内温度が上昇すると、制御ケーブル１の被覆に用いているビニールが軟化するので、自由曲げ径が小さくなり、制御ケーブル１の吊り状態は、図９に示すように、Ｖ字状に近いものとなる。その結果、制御ケーブル１とかご２の間の寸法が小さくなるので、かご２が最下階に来た時に、制御ケーブル１がかご２に干渉して（図９に点線で示す）、制御ケーブルに傷が付いたり、干渉した時の音がかご内に伝わってしまうという不具合があった。
かかる不具合を解消する従来技術として、昇降路内温度の変化に応じて制御ケーブルの吊り位置を変化させたり、制御ケーブルをかごから遠ざけたりするものがある（例えば、特許文献１、２参照）。
【０００３】
【特許文献１】特開２００４−３５９３９３号公報
【特許文献２】特開２００５−２３１７９４号公報
【発明の開示】
【発明が解決しようとする課題】
【０００４】
上記のような従来技術による方法では、温度検出手段やケーブルを移動させたり、吊り位置を変更したりするための機構が必要となり、装置全体が大掛かりなものとなってしまうという問題があった。
【０００５】
この発明は上記のような課題を解決するためになされたもので、昇降路内温度の上昇を特に気にすることがなく、しかも簡単な構成により制御ケーブルとかごの接近、干渉を防止することができるエレベータ制御ケーブルの保持装置を提供するものである。
【課題を解決するための手段】
【０００６】
この発明に係るエレベータ制御ケーブルの保持装置は、エレベータのかごと昇降路機器とを繋ぐエレベータ制御ケーブルの保持装置において、昇降路の壁に設けられ、制御ケーブルがかご側へ移動するのを抑制するように、制御ケーブルを保持して、制御ケーブルがかごに干渉するのを防止する制御ケーブル固定具を備えたものである。
【０００７】
また、昇降路の壁及び制御ケーブルそれぞれに磁石または磁性体が設けられ、磁石または磁性体間の磁気的吸引力により、制御ケーブルのかご側への移動を抑制し、制御ケーブルがかごに干渉するのを防止するものである。
【発明の効果】
【０００８】
この発明によれば、温度上昇時の干渉を無くすことができ、しかも吊り間隔を大きく取れるので、設計の自由度が上がるとともに、制御ケーブルの動特性の安定化を図ることができる。したがって、昇降路内温度を特に気にする必要はなく、装置自体も簡単であるためコスト面でも優位性があるという効果がある。
【発明を実施するための最良の形態】
【０００９】
実施の形態１.
図１はこの発明の実施の形態１におけるエレベータ制御ケーブルの保持装置を示す側面図、図２はこの発明の実施の形態１におけるエレベータ制御ケーブルの挙動特性を示す側面図、図３はこの発明の実施の形態１におけるエレベータ制御ケーブルの保持装置の要部構成を示す拡大斜視図である。
【００１０】
図において、１はエレベータのかご２と昇降路機器（図示せず）とを繋ぐエレベータの制御ケーブルである。この制御ケーブル１は、Ｕ字状を描くように吊るされており、Ｕ字部では自由曲げ径と呼ばれる間隔で曲がっている。この自由曲げ径の値は、制御ケーブル１に使用しているビニール被覆の種類と量や線心数等で決まるもので、昇降路内温度が上昇すると、制御ケーブル１の被覆に用いているビニールが軟化するので、自由曲げ径が小さくなり、制御ケーブルの吊り状態は、図９に示すように、Ｖ字状に近いものとなる。３は制御ケーブル１とかご２の接近、干渉を防止するために昇降路壁４に取り付けられた制御ケーブル固定具である。
制御ケーブル固定具３の構造は、図３に示すように、昇降路壁４に取り付けられる比較的肉厚の硬質樹脂からなる左右一対の取り付け部３ａと、この左右一対の取り付け部の先端部に形成され、互いの開放側端が間隙を持って対向しているゴムやウレタンフォームなどの柔軟な材質で構成されたケーブル保持部３ｂとから構成されている。ここで、特に、制御ケーブル固定具３のケーブル保持部３ｂがゴムやウレタンフォームなどの柔軟な材質で構成されていることに重要な意味があるのである。
【００１１】
今、かご２が下降すると、制御ケーブル１もそれに合わせて降りてくるが、その際、制御ケーブル１は、図２に示すように、かご２と反対側すなわち昇降路壁４側に膨らむ挙動を示す。そこで、この制御ケーブル１の昇降路壁４側に膨らむ挙動を利用して、制御ケーブル１が柔軟な材質のケーブル保持部３ｂを押し退けて制御ケーブル固定具３の中に納まるようにしている。そのためには、ケーブル保持部３ｂは、かご下降時の制御ケーブル１の挙動によって容易に押し退けられ、かつかご２の停止時に制御ケーブル１がかご１側に戻ってきた時にはこれを保持できるように、適度な厚みを持ったものとする必要がある。また、かご２が上昇する時は、制御ケーブル１もそれに伴って上昇して行く。制御ケーブル１の底部（Ｕ字部）が制御ケーブル固定具３付近になると、制御ケーブル１はケーブル保持部３ｂを内側から押し退けて上昇し、制御ケーブル固定具３の保持から開放される。このように、制御ケーブル１の保持、開放を行うことで、制御ケーブル１とかご２の接近、干渉を防止することができる。
【００１２】
一般に制御ケーブル１の動特性（かご昇降時の挙動）は、制御ケーブルの吊り間隔が大きい方が安定するが、昇降路内温度上昇時の干渉を考慮すると、余り大きくは出来ない。そのため、制御ケーブルの動特性の安定化と、制御ケーブルのかごとの干渉防止の兼ね合いが非常に難しく、一方を満足させれば他方が問題となってしまうというのが普通である。この発明によれば、温度上昇時の干渉を無くすことができ、しかも吊り間隔を大きく取れるので、設計の自由度が上がるとともに、制御ケーブルの動特性の安定化を図ることができる。したがって、昇降路内温度を特に気にする必要はなく、装置自体も簡単であるためコスト面でも優位性がある。
【００１３】
実施の形態２.
図４はこの発明の実施の形態２におけるエレベータ制御ケーブルの保持装置の要部構成を示す拡大斜視図である。
【００１４】
上記実施の形態１では、制御ケーブル固定具３のケーブル保持部３ｂをゴムやウレタンフォームなどの柔軟な材質で構成したが、この実施の形態２においては、制御ケーブル固定具３のケーブル保持部３ｂの材質を樹脂などの硬質なもので構成する代わりに、左右一対の取り付け部３ａの先端部とケーブル保持部３ｂとの間に可動ジョイント部３ｃを設け、この可動ジョイント部３ｃが動くことにより、制御ケーブル１の取り込みと保持を行うゲート状の可動方式のケーブル保持部３ｂとしたものである。したがって、その動作や効果については、実施の形態１とほぼ同様であるので、説明を省略する。
【００１５】
実施の形態３.
図５はこの発明の実施の形態３におけるエレベータ制御ケーブルの保持装置の要部構成を示す拡大斜視図である。
【００１６】
前述したように、かご２の下降時に制御ケーブル１が膨らむ挙動を利用すれば、制御ケーブル固定具３のケーブル保持部３ｂを能動的に開閉しなくても制御ケーブル１の保持が可能であるが、この実施の形態３においては、図５に示すように、ケーブル保持部３ｂを、外部からの信号によりかごの昇降に応じて開閉できる開閉機構３ｄを介して左右一対の取り付け部３ａの先端部に固定したものである。この場合は、制御ケーブル１が制御ケーブル固定具３付近に来る前に外部からの信号により開閉機構３ｄを操作してケーブル保持部３ｂを開いておき、制御ケーブル１が制御ケーブル固定具３内に入った時に、開閉機構３ｄを閉じるようにすれば確実な保持が可能となし、制御ケーブル１とケーブル保持部３ｂ間で摩擦が発生しないため、円滑な動作が実現できる。
【００１７】
実施の形態４.
図６はこの発明の実施の形態４におけるエレベータ制御ケーブルの保持装置を示す側面図である。
【００１８】
この実施の形態４においては、制御ケーブル１側に磁石５を設け、昇降路壁４側に磁性体６を取り付け、磁石５と磁性体６が吸着することで制御ケーブル１の保持を行う構成としたものである。なお、磁石５と磁性体６の配置は、逆に配置しても良い。
この基本動作は実施の形態１とほぼ同様である。制御ケーブル１が降下して来る時に、磁力により制御ケーブル１を吸着し、かご２への干渉が防止され、上昇時は制御ケーブル１の上昇動作により磁石５と磁性体６の吸着が引き剥がされる。
【００１９】
実施の形態５.
図７はこの発明の実施の形態５におけるエレベータ制御ケーブルの保持装置を示す側面図である。
【００２０】
制御ケーブル１は２本重ねて吊り下げられることも多い。この実施の形態４においては、図７に示すように、制御ケーブル１と昇降路壁４の間だけでなく、２本の制御ケーブル１間にも磁石５と磁性体６を配置し、制御ケーブル１同士を磁石５と磁性体６で吸着することで２本の制御ケーブル１を固定する構成としたものである。なお、磁石５と磁性体６の配置は、逆に配置しても良いし、制御ケーブルは複数本であっても良い。
このようにすれば、内側の制御ケーブルも固定することができるので、制御ケーブルが１本吊りの場合と同様にかご２への干渉が防止される。
【図面の簡単な説明】
【００２１】
【図１】この発明の実施の形態１におけるエレベータ制御ケーブルの保持装置を示す側面図である。
【図２】この発明の実施の形態１におけるエレベータ制御ケーブルの挙動特性を示す側面図である。
【図３】この発明の実施の形態１におけるエレベータ制御ケーブルの保持装置の要部構成を示す拡大斜視図である。
【図４】この発明の実施の形態２におけるエレベータ制御ケーブルの保持装置の要部構成を示す拡大斜視図である。
【図５】この発明の実施の形態３におけるエレベータ制御ケーブルの保持装置の要部構成を示す拡大斜視図である。
【図６】この発明の実施の形態４におけるエレベータ制御ケーブルの保持装置を示す側面図である。
【図７】この発明の実施の形態５におけるエレベータ制御ケーブルの保持装置を示す側面図である。
【図８】従来のエレベータ制御ケーブル装置を示す側面図である。
【図９】従来のエレベータ制御ケーブル装置の昇降路内温度が上昇した時の状態を示す側面図である。
【符号の説明】
【００２２】
１  制御ケーブル
２  かご
３  制御ケーブル固定具
３ａ  取り付け部
３ｂ  ケーブル保持部
３ｃ  可動ジョイント部
３ｄ  開閉機構
４  昇降路壁
５  磁石
６  磁性体
【図１】
2007276991.tif 000003
【図２】
2007276991.tif 000004
【図３】
2007276991.tif 000005
【図４】
2007276991.tif 000006
【図５】
2007276991.tif 000007
【図６】
2007276991.tif 000008
【図７】
2007276991.tif 000009
【図８】
2007276991.tif 000010
【図９】
2007276991.tif 000011